(57)【要約】【課題】定着ローラにバイアスを印加している系において、搬送紙を流れるリーク電流を検知して、定着ニップでの紙有無を検知する。【解決手段】一次帯電電源と定着ニップ間に絶縁抵抗、調整抵抗を具備し、その間の電圧を分圧して、マイコンで検知することにより、搬送紙の位置を検出する。また、転写ローラ〜記録紙〜一次帯電間に流れる電流で記録紙の先端を検出し、接地したＦＵローラ〜記録紙〜一次帯電間に流れる電流で記録紙後端を検出する。【選択図】        図１
2006162865.tif 000002
【特許請求の範囲】
【請求項１】
定着ヒータを囲うように配置され定着ヒータの周りを回動する耐熱フィルムと該耐熱フィルムと対向する位置に配置される加圧ローラと、記録紙上に形成されたトナー画像を前記耐熱フィルムと加圧ローラ間を通過させることにより定着させる定着器を具備した画像形成装置であって、該耐熱フィルムに高圧電圧を印加する手段を有し、前記記録紙を介し、該高圧印加手段と第２の電圧印加手段との間に流れる電流を検知することにより、前記記録紙の位置を検出することを特徴とする画像形成装置。
【請求項２】
前記第２の電圧印加手段は感光体上に形成されたトナー画像を記録紙に転写するために設けられた転写電源であり、前記記録紙が定着器に到達したことを検知するように構成したことを特徴とする請求項１記載の画像形成装置。
【請求項３】
前記第２の電圧印加手段は感光体上に形成されたトナー画像を記録紙に転写するために設けられた転写電源であり、前記記録紙が定着器に到達したことを検知するように構成したことを特徴とする請求項１記載の画像形成装置。
【発明の詳細な説明】
【技術分野】
【０００１】
本発明は、電子写真技術を使用したレーザビームプリンタなどに係る画像形成装置に関する。
【背景技術】
【０００２】
レーザビームプリンタ（以下ＬＢＰ）は近年、そのスピード、印字品質の高さにより、低価格化の進行と相まって、広く普及している。
【０００３】
その一例として、特許文献１を示す。
【０００４】
前記従来例（特許文献１）の図１を図４で示す（なお、符号は図示された符号に従う。）。１は有機感光ドラム（以下、感光ドラムと略称する）であり、矢印方向に回転駆動する。２は前記感光ドラム１の表面を負極性に一様に帯電するための帯電ローラ、３は画像デー夕に応じて強度変調させたレーザー露光を行うためのレーザースキャナーユニット、４は負極性一成分トナーにより静電潜像の顕画像化を行う現像装置であり、露光部に現像を行う所謂反転現像を行っている。
【０００５】
５はトナー像を記録材Ｐ上に転写する転写ローラ、６は記録材を感光ドラム１から分離させるための除電針、７は転写工程後の感光ドラム１上に残留したトナーをクリーニングするためのクリーナーである。トナー像を転写された記録材Ｐは、搬送ガイド８を経て、ヒーターユニット１０、及び加圧ローラー１１、定着入口ガイド９、排紙ガイド１２、排紙ローラー１３等からなる定着装置に送られ、前記ヒーターユニット１０と加圧ローラー１１により挟持搬送される事で、トナー像の加熱定着が行われる。
【０００６】
９０はこの実施の形態１に示すＬＢＰの動作制御を行うＣＰＵであり、外部機器との通信、及び記録材の先後端位置の検知を行うトップセンサー１８、排紙センサー１９等の出力を基に、モーター、レーザー、高圧やヒーターへの通電制御を行う。
【特許文献１】特開２００１−０２２２０４号公報
【発明の開示】
【発明が解決しようとする課題】
【０００７】
前記従来例においては、排紙センサーにはフォトインターラプターが使用される。そして、サービス面などの観点から、定着装置はユニットで構成されその中に排紙センサーが配置される。そのため、排紙センサーの周囲温度が高くなり、長寿命のフォトインターラプターを使用しなければならず、コストアップになっていた。
【０００８】
本発明は前記問題点を解決するために考案されたもので、転写ニップ〜定着ニップ間または定着ニップＦＵローラ間に搬送紙が存在するときに、搬送紙を介して流れるリーク電流を検知することにより定着ニップ内に搬送紙先端が到達した、または定着ニップ間から搬送紙後端が抜けたかを検知し、排紙検知用のフォトインターラプターを削減することを目的としたものである。
【課題を解決するための手段】
【０００９】
この発明は下記の構成を備えることにより上記課題を解決できるものである。
【００１０】
（１）定着ヒータを囲うように配置され定着ヒータの周りを回動する耐熱フィルムと該耐熱フィルムと対向する位置に配置される加圧ローラと、記録紙上に形成されたトナー画
像を前記耐熱フィルムと加圧ローラ間を通過させることにより定着させる定着器を具備した画像形成装置であって、該耐熱フィルムに高圧電圧を印加する手段を有し、前記記録紙を介し、該高圧印加手段と第２の電圧印加手段との間に流れる電流を検知することにより、前記記録紙の位置を検出することを特徴とする画像形成装置。
【発明の効果】
【００１１】
本発明によれば、搬送紙に流れるリーク電流を検出することにより、定着ユニット周辺の紙位置を検出でき、フォトインターラプターを削減できる。
【発明を実施するための最良の形態】
【００１２】
以下本発明を実施するための最良の形態を、実施例により詳しく説明する。
【実施例】
【００１３】
（第１の実施例）
図１は本発明の画像形成装置の構成を示す概略構成図である。図１は本発明の核心の部分であり、その他の構成は従来例と同じである。
【００１４】
図１において、１０はＣＲＧ内の感光ドラム、１１は転写ローラ、１２は転写電源、１３は、商用電源入力、１４は定着用耐熱フィルム、１５はヒータ、１６は搬送紙、１７は電圧検出点、１８は定着用加圧ローラ、１９はフェイスアップ出力用ＦＵローラであり、接地されている。２０は一次帯電電源、２１はマイクロコンピュータ、２２、２３は一次、二次絶縁用抵抗、２４は調整抵抗、２５、２６は電流検出用抵抗である。
【００１５】
商用電源１３はヒータ１５に電力を供給するものである。
【００１６】
搬送紙１６はプリント動作毎に搬送され、ＣＲＧドラム−転写ローラ間、フィルム−加圧ローラ間、ＦＵローラ間上を通過し排出される。
【００１７】
本実施例では、搬送紙が
ａ．加圧ローラニップにないとき
ｂ．転写ローラニップと加圧ローラニップ間にあるとき
ｃ．加圧ローラニップとＦＵローラニップ間にあるとき
の３状態で検出点１７の電圧を監視することにより、紙の位置を検出するものである。
【００１８】
上記ｂ．の場合、転写ローラ〜搬送紙〜定着フィルム〜抵抗群〜一次帯電電源の経路で電流が流れる。
【００１９】
また、上記ｃの場合、ＦＵローラ〜搬送紙〜定着フィルム〜抵抗群〜一次帯電電源の経路で電流が流れる。
【００２０】
このときの、検出点１７の電圧変化を分圧抵抗２５、２６により低下させて、マイコン２１でその電圧を検出することに紙有無を行うようにしたものである。
【００２１】
図２はその図１の等価回路図である。
【００２２】
図２において、３０は転写ニップ−定着ニップ間の搬送紙の抵抗値であり、１０００ＭΩであり、スイッチ３１は前記間に搬送紙があるとき、ＯＮということになる。
【００２３】
また、３２は定着ニップ−ＦＵニップ間に搬送紙があるときの抵抗値であり、５００ＭΩであり、スイッチ３２は前記間に搬送紙があるとき、ＯＮということになる。
【００２４】
転写電源１２は４０００Ｖの出力であり、一次帯電電源は−６００Ｖ、絶縁抵抗２２、２３はそれぞれ２０ＭΩ、調整抵抗２４は１０ＭΩ、検出抵抗２５、２６は１２０ＭΩ、１ＭΩである。
【００２５】
また、マイコン２１の入力端子２７はＡ／Ｄ入力端子であり、そのＡ／Ｄ変換器の基準電圧は−５Ｖである。
【００２６】
その結果、搬送紙が上記３条件の位置にあるときの電圧、及びマイコンに認識される値を図３に示す。
【００２７】
図３において、マイコンはＡＤ変換値の変化により、搬送紙の位置を検出することができる。
即ち、
ａ．紙が定着ニップ前にあるときはマイコンの読み込みＡＤ値は０ＥＡＨ
ｂ．搬送紙の先端が定着ニップに到達したときは、マイコンの読み込みＡＤ値は０Ｅ６Ｈｃ．搬送紙の後端が転写ニップを過ぎ定着ニップを抜ける直前までは、マイコンの読み込みＡＤ値は０Ｄ９Ｈ
となり、それぞれの値により紙の位置を検出できる。
【００２８】
また、従来例で説明されていたトップセンサーと組み合わせて時系列的に確認することにより、より紙有無の精度が向上する。
【図面の簡単な説明】
【００２９】
【図１】本発明の画像形成蔵置の構成を示す概略構成図
【図２】本発明の画像形成装置の等価回路図
【図３】本発明における各種紙有無状態の検出電圧値を示す表
【図４】従来例（特許文献１）の画像形成装置の概略構成図
【符号の説明】
【００３０】
１０  ＣＲＧドラム
１１  転写ローラ
１２  転写電源
１３  商用電源
１４  定着フィルム
１５  ヒータ
１６  搬送紙
１７  検出点
１９  ＦＵローラ
２０  一次帯電電源
２１  マイコン
２２、２３，２４，２５，２６  抵抗
２７  検出信号
３０  搬送紙等価抵抗
３２  搬送紙等価抵抗
【図１】
2006162865.tif 000003
【図２】
2006162865.tif 000004
【図３】
2006162865.tif 000005
【図４】
2006162865.tif 000006